(57)【要約】【課題】小型のＭＤカートリッジをＣＤ程度に大きな収納ケース（ジャケット）内に収納して十分大きなレーベルを使用することを可能にしてコンテンツの識別を容易にすると共に、自由なレーベルデザインを行うことを可能ならしめ、更に既存のＣＤ用ラック、陳列棚等をそのまま利用して、ＭＤの展示、陳列を行うことを可能ならしめて小売店の設備コスト増を防ぐことを目的とする。【解決手段】ミニディスク２１を回転自在な状態でパッケージ２２内に収容した構造のＭＤカートリッジ２０を、着脱自在に収容するＭＤ収納ケース１において、ＭＤ収納ケースは、ＣＤケースと同等サイズの矩形平板状であり、互いに開閉自在に一端縁を軸支されたベース板３及び透明蓋部材５と、ベース板の内面に着脱自在に装着され且つＭＤカートリッジの裏面を支持する支持面２ａを備えた支持板２と、を備え、支持面には、ＭＤカートリッジを着脱自在に支持するＭＤ係止手段１０が設けられている。【選択図】      図１
2004284659.tif 000002
【特許請求の範囲】
【請求項１】
ミニディスクを回転自在な状態でパッケージ内に収容した構造のＭＤカートリッジを、着脱自在に収容するＭＤ収納ケースにおいて、
前記ＭＤ収納ケースは、コンパクトディスクを収納するＣＤケースと同等サイズの矩形平板状であり、互いに開閉自在に一端縁を軸支されたベース板及び透明蓋部材と、ベース板の内面に着脱自在に装着され且つＭＤカートリッジの裏面を支持する支持面を備えた支持板と、を備え、
前記支持面には、ＭＤカートリッジを着脱自在に支持するＭＤ係止手段が設けられていることを特徴とするＭＤ収納ケース。
【請求項２】
前記ＭＤカートリッジは、前記パッケージ裏面の所定位置に少なくとも３カ所の小孔を備えており、
前記ＭＤ係止手段は、パッケージ裏面の各小孔内に嵌合する小突起から成ることを特徴とする請求項１に記載のＭＤ収納ケース。
【請求項３】
前記ＭＤカートリッジは、前記パッケージ裏面の中央部に内部のミニディスクの中心部を露出させるための開口を備えており、
前記ＭＤ係止手段は、パッケージ裏面の開口内に嵌合する軟質のパッドから成ることを特徴とする請求項１に記載のＭＤ収納ケース。
【請求項４】
前記ＭＤ係止手段は、１又は複数の軟質のパッドから成り、前記支持部材の支持面の任意の位置に貼着できることを特徴とする請求項１に記載のＭＤ収納ケース。
【請求項５】
前記ＭＤ係止手段は、ＭＤカートリッジを嵌合状態で支持する凹所又は穴を有したシート材であることを特徴とする請求項１に記載のＭＤ収納ケース。
【発明の詳細な説明】
【０００１】
【発明の属する技術分野】
本発明は、音楽等のコンテンツを記録したミニディスクを販売する際に使用するＭＤ収納ケースに関し、特に、小型であるためにＭＤカートリッジ自体やそのジャケットに見やすい文字等によって表示し切れないタイトル、曲目等を、十分に視認し易い任意の文字サイズ、表現方法にて表示することにより、展示、販売する際の利便性を高めることができるＭＤ収納ケースに関する。
【０００２】
【従来の技術】
現在の音楽市場において、音楽等のコンテンツを記録したＣＤ（コンパクトディスク）からパソコンへの音楽コピーや、ＣＤからＣＤ−Ｒへの焼き付け等の違法行為が蔓延しており、これらの違法コピー行為がＣＤの売上減少の大きな原因となっている。このことは、音楽著作権保護の観点から無視できない社会問題である。
このような違法コピー行為に対して、レコード会社は、コピー・コントロールＣＤを発売する等の対策を講じはているが、このような対抗措置に対してはユーザー側からの反発が強いために、全面実施に踏み切れない状況にあり、解決の決め手とはなっていない。
一方、一般ユーザー間では、パソコンを利用した音楽コピーが普及する以前から、購入した或いはレンタルしてきたＣＤの音源を、携帯に便利なミニディスク（ＭＤ（Ｍｉｎｉ  Ｄｉｓｃ））にダビングし、ＭＤプレーヤーを利用して音楽を私的に楽しむ行為が普及しており、現在でもパソコンを有するか否かに関係なく、ＭＤは最も手軽な音楽コピー媒体であり、ＭＤプレーヤーは最もコンパクトなプレーヤーであり、何れも普及している。
更に、ネットワークを利用したダウンロード音楽配信を記録する際のメディアとしても、ＭＤがその中心として利用されている。
このように、現時点で、多くの音楽リスナーにとってＭＤは、ＣＤと同等かそれ以上に、音楽を聞く際に利用する主要メディアとして活用されている。また、ポータビリティーという点では、ＭＤプレーヤーの方が、ＣＤプレーヤーよりも明らかに優れている。
【０００３】
ところで、ＣＤからＭＤへのダビングは、ダビングのための機器が普及しているために、非常に安易であり、それ故、広く深く普及している。しかし、ＭＤからＣＤへのダビングを行うための専用機器は市場に出回ってはおらず、そのようなダビング行為は現実には殆ど行われていない。
その理由は、私的に録音したＭＤからＣＤへダビングを行う必要が無いからである。即ち、ＭＤはＣＤに比べて音質がやや劣るし、ＣＤプレーヤーよりもＭＤプレーヤーの方が格段に携帯性、取り扱い性に優れているためにわざわざＭＤからＣＤにダビングする必要性が少ないからである。また、ダビング用の専用機器が普及していない現状では、ＭＤ→ＣＤのダビングには非常に手間がかかるという事情がある。
このようなＭＤの利用価値、ＭＤプレーヤーの普及度に鑑み、本発明者は、音楽作品等のコンテンツをメディアに記録して販売する際に、最初からＭＤという形でリリースすれば良いではないか、という販売形態を提案するものである。即ち、レコード会社がメディアとしてのＭＤの利点に着目して、ＭＤに楽曲を記録した状態で販売するようにすれば、わざわざＣＤからＭＤにダビングする手間が回避され、ダビングに伴う違法行為も激減することが明らかである。
【０００４】
但し、このようにＭＤに楽曲を録音した状態で販売する場合に問題となるのは、ＭＤカートリッジを収容するジャケットの形状である。ＭＤカートリッジのように形状が小型（一辺が約７ｃｍの正方形、厚さ５ｍｍ程度）である場合には、小売店でディスプレイに展示するにしても、或いは収納ラックに重ねた状態で収納するにしても、５ｍｍ幅のカートリッジ端面に十分に大きな文字でタイトルを表示したラベルを配置して識別したり、或いは表面或いは裏面の狭いスペース内に曲目名を視認し易い大きさで全て羅列することは困難である。また、ジャケット上の表示スペースが極限されることから、ジャケットのデザインや記載内容にも制限が生じる。
更に、ＭＤを音楽ディスクとして販売するためにＭＤに見合った小さいサイズのケースに納めて展示、販売するとすれば、小さいサイズであるが故に、ＣＤと一緒に並べると店頭で見劣りするし、目に付きにくいといった弱点がある。また、寸法が違うことから、既存のＣＤ用のラックに陳列することができず、専用のラックを新たに準備する必要があり、コストアップにつながる。
【０００５】
例えば、特開平０９−１４２５５８号公報にはミニディスクを収容するためのディスクケースについて開示されており、蓋付きの浅い箱状をなすケース本体内に、弾性材料からなるトレーを配置し、トレーに設けた凹所内にディスクを嵌合して収容する構成が開示されているが、これはディスクそのものを収容するケースに関し、ＭＤディスクをパッケージ内に配置したＭＤカートリッジを収容するケースを提案するものではない。また、この発明にかかるケース内にＭＤカートリッジを収容するとしても、ケースサイズはＭＤカートリッジを僅かに上回る程度の大きさであるため、記録されたコンテンツのタイトル、その他の内容を十分に大きな見やすい文字等で表示したり、所望のデザインを施す十分なスペースは存在し得ない。また、既存のＣＤ用のラックにＭＤカートリッジ収納ケースを陳列したとしても、小さくて目立たず、展示効果が少ない。
更に特開平１１−２０８７５９号公報、特開平１１−３１０２９２号公報、特開２００１−３１５８８３には、ＣＤとＭＤと一つのケース内に収容できるようにした構成が開示されているが、これはあくまで異なったサイズのディスクを収容するための提案に過ぎず、展示、販売効果を狙ったものではない。
また、特開２００１−３１５８８３には、ＭＤカートリッジを収容するための収納ケースが開示されており、この収納ケースの幅はＭＤカートリッジの幅よりも僅かに大きく、その長さ及び高さは標準的なオーディオカセットテープの長さ及び高さに略等しくなるように設定されている。しかし、このような収納ケースは既存のどのようなケースとも寸法が異なるため、専用の金型を用いて収納ケース全体を製作し直す必要があり、コスト高となる。また、ここに提案されている収納ケースの長さ及び高さ寸法はせいぜいオーディオカセットテープと同等であり、しかも側端面の幅に関しては更に狭くなるので、コンテンツのタイトルや内容を見やすい文字で表示したり、任意のデザインを施すには不十分なスペースしか確保できない。従って、展示した場合における顧客に対するアッピール性、多数積層した中から目視により検索する際の利便性という点で問題があり、販売の為の展示効果が低下せざるを得ない。
【特許文献１】特開平０９−１４２５５８号公報
【特許文献２】特開平１１−２０８７５９号公報
【特許文献３】特開平１１−３１０２９２号公報
【特許文献４】特開２００１−３１５８８３公報
【特許文献５】特開２００１−３１５８８３公報
【０００６】
【発明が解決しようとする課題】
以上要するに、ＣＤ→ＭＤのダビングは普及しているが、これとは逆のＭＤ→ＣＤのダビングは普及し得ない状況下にある。その理由はわざわざそのようなダビングを行う必要性が無いことと、手間がかかるからである。
音楽作品のコンテンツをＭＤに記録して販売する方法は、著作権保護の観点からも、非常に有効な手段であるし、ユーザーにとっても、買ったＣＤを最終的にＭＤへダビングして聴くという行為が主流なのだから、予めＭＤで売られていることに対して、以前と比べて違和感は少なくなってきている。以前、ＭＤが登場した当初、ソニー株式会社がＣＤと同じ価格で音楽を収録したＭＤを販売したことがあったが、音質面でのレベルの問題や、ハード（ＭＤプレーヤー）の普及が少なかったことから、結局失敗し撤退している。しかし、現在ではその当時とは状況が変わってきており、ＭＤプレーヤーの性能向上、普及に伴って、ＭＤ自体に楽曲などを記録した状態での販売には高い将来性が認められる。
ところが、このように音楽等のコンテンツをＭＤに記録して販売する場合には、販売店等において、縦横寸法が７ｃｍ程度の小型のＭＤを展示、陳列するために、コンテンツの内容や種類を表示するためのレーベル等を見やすくする方法に苦慮する筈である。また、既存のＣＤ用のラックや陳列棚、収納箱等をそのまま利用してＭＤを陳列できないために、新たなラック等を開発、購入するための設備投資が求められ、販売店等におけるコスト増を招くこととなる。また、ＭＤの展示、宣伝効果を高めるために、新たな形状、デザインを備えた専用の収納ケース（ジャケット）を設計、製造する手間を掛けると、更にコスト増を招く虞がある。
本発明は上記に鑑みてなされたものであり、小型のＭＤカートリッジをＣＤ程度に大きな収納ケース（ジャケット）内に収納して十分大きなレーベルを使用することを可能にしてコンテンツの識別を容易にすると共に、自由なレーベルデザインを行うことを可能ならしめ、更に既存のＣＤ用ラック、陳列棚等をそのまま利用して、ＭＤの展示、陳列を行うことを可能ならしめて小売店の設備コスト増を防ぐことを目的とする。更に、既存のＣＤケースをほぼそのまま流用、或いは必要最小限の加工を加えるだけで、形成することができるＭＤ収納ケースを提供することを目的としている。
【０００７】
【課題を解決するための手段】
上記課題を解決するため、請求項１の発明は、ミニディスクを回転自在な状態でパッケージ内に収容した構造のＭＤカートリッジを、着脱自在に収容するＭＤ収納ケースにおいて、前記ＭＤ収納ケースは、コンパクトディスクを収納するＣＤケースと同等サイズの矩形平板状であり、互いに開閉自在に一端縁を軸支されたベース板及び透明蓋部材と、ベース板の内面に着脱自在に装着され且つＭＤカートリッジの裏面を支持する支持面を備えた支持板と、を備え、前記支持面には、ＭＤカートリッジを着脱自在に支持するＭＤ係止手段が設けられていることを特徴とする。
ＭＤを音楽等を記録した光ディスクとして販売するためには、ＣＤの半分程度の小さいサイズであるが故に、ＣＤと並べて陳列すると店頭で見劣りするし、目に付きにくいといった弱点がある。この欠点を克服するために、現行のＣＤ収納ケースの一部を改良してＭＤ販売用ケースに転用するために、必要最小限の加工、変更を加えることにより、コスト増をなくすることに成功した。ＣＤ収納ケースと同じサイズで、しかもその一部を改良したものだから、ＣＤショップに並べる際にも、ＣＤと一緒に陳列できるし、しかも一目でＭＤであることが判別できる工夫がしてある。ＭＤを支持する支持板として、プラスティック以外の素材を使用することにより、見た目でＭＤならではの可愛らしさといった、魅力をアピール出来る。例えばダンボールやウレタンといった素材を使った支持板、係止手段を用いたＭＤ販売用のケースを新しく開発することにより、経済的なＭＤカートリッジ収納ケースを提供することが可能となる。
【０００８】
請求項２の発明は、請求項１において、前記ＭＤカートリッジは、前記パッケージ裏面の所定位置に少なくとも３カ所の小孔を備えており、前記ＭＤ係止手段は、パッケージ裏面の各小孔内に嵌合する小突起から成ることを特徴とする。
ＭＤのパッケージ裏面に必ず形成されている小孔を係止する小突起を支持面に設けることにより、極めてシンプルな形状の支持板によってＭＤを安定して支持することができる。
請求項３の発明は、請求項１において、前記ＭＤカートリッジは、前記パッケージ裏面の中央部に内部のミニディスクの中心部を露出させるための開口を備えており、前記ＭＤ係止手段は、パッケージ裏面の開口内に嵌合する軟質のパッドから成ることを特徴とする。
ＭＤカートリッジの裏面に必ず存在する開口を利用して弾性を有したパッドによりこれを係止し、且つ蓋部材を閉止することにより、ＭＤの移動、回転等を確実に抑えることができる。
請求項４の発明は、請求項１において、前記ＭＤ係止手段は、１又は複数の軟質のパッドから成り、前記支持部材の支持面の任意の位置に貼着できることを特徴とする。
請求項５の発明は、請求項１において、前記ＭＤ係止手段は、ＭＤカートリッジを嵌合状態で支持する凹所又は穴を有したシート材であることを特徴とする。
【０００９】
【発明の実施の形態】
以下、本発明を図面に示した実施の形態により詳細に説明する。
図１（ａ）及び（ｂ）は本発明の一実施形態に係るＭＤ収納ケースの構成を示す展開斜視図（ＭＤカートリッジの裏面図）、及びＭＤを収納したＭＤ収納ケースの平面図である。
本発明のＭＤ収納ケース１は、直径約６．５ｃｍ程度の光ディスクであるミニディスク（以下、ＭＤ、という）２１を、回転自在な状態でプラスチック製の矩形のパッケージ２２内に収容した構造のＭＤカートリッジ２０を、着脱自在に収容する手段である。
このＭＤカートリッジ２０は、そのまま図示しないＭＤプレーヤーのドライブに装着されることによって、スライド式の開閉蓋２３が開放してパッケージ２２に設けた切欠きからＭＤの一部を露出させ、プレーヤー内部の光ピックアップによる再生（記録）が行われる。パッケージ２２の裏面中心部には開口２４が形成され、この開口からＭＤ２１の中心に位置する金属部分２１ａが露出する。プレーヤーのドライブ内において、この金属部分２１ａはスピンドルモータの回転軸により支持されるので、ＭＤ２１を回転することができる。
本発明の一実施形態に係るＭＤ収納ケース１は、コンパクトディスク（以下、ＣＤ、という）を収納する既存のプラスチック製ＣＤケースと同等サイズの矩形平板状であり、且つＭＤカートリッジ２０の裏面を支持する支持面２ａを備えた支持板２と、支持板２を着脱可能に支持するベース板３と、ベース板３の一端に設けたヒンジ部４により開閉自在に軸支されて支持面２ａを開閉する透明な蓋部材５と、を備えている。また、この実施形態では、ベース板３により支持板２を着脱自在に支持したが、ベース板３を省略し、支持板３を直接蓋部材５とヒンジにより開閉自在に連結してもよい。材質は全てプラスチック等の樹脂から成る。
【００１０】
本発明の特徴的な構成は、支持板２の支持面２ａに、ＭＤカートリッジ２０を着脱自在に支持するＭＤ係止手段１０を設けた点にある。即ち、従来のＣＤケースは、支持面２ａの中央部にＣＤの中心孔を着脱自在に支持する突起状のロック部材（支持面を切起こし形成した小さい弾性片を環状に隣接配置したもの）を備えているが、この実施形態ではこのロック部材を省略して支持面を平坦化し、その代わりにＭＤカートリッジ２０の裏面に存在する３つの小孔２５に嵌合してＭＤを固定する小突起１１（ＭＤ係止手段１０）を配置している。各小突起１１を対応する位置関係にある各小孔２５に嵌合してから、蓋部材５を閉止することにより、収納ケース１内でＭＤカートリッジ２０が移動したり、位置ずれすることが皆無となる。ＭＤカートリッジの厚さは、４〜５ｍｍ程度である一方、蓋部材５を閉止したときの支持面２ａと蓋部材の下面との間隔は、ＭＤカートリッジの厚さを若干上回る程度であるため、小突起１１の突出高さを２〜３ｍｍ程度とすることにより十分にＭＤを保持することが可能となる。
従って、このような構成を備えた収納ケース１の蓋部材５側を正面に向けて展示用の標準的なＣＤラックに陳列することにより、ＭＤであることが一目で判別でき、しかも必要な事項を記載し、かつ任意のデザインを施したレーベル、さらには解説書等を収納ケース内に収納することができる。透明な蓋部材等を通してレーベル等に記載された十分に大きな文字等を目視確認することにより、コンテンツの内容、種類等を見分けることが容易となり、需用者の購買意欲を喚起することができる。
【００１１】
また、幅の狭い端面にも見やすく文字表示するスペースを十分に確保できるので、収納ケース１を重ねた状態で陳列棚等に収納した場合においても、端面の表示を見ることによりコンテンツを判別することが可能となる。販売店サイドとしても、ＭＤカートリッジ用の専用ラック、陳列棚、ショーケース等を開発、購入する必要がなくなり、既存のＣＤ用ラックをそのまま流用して陳列することが可能となる。
また、この収納ケース１は、ベース板３と蓋部材５については、既存のＣＤケースの構成をそのまま転用できるので、支持板２だけを交換することにより、ＭＤ収納ケースとすることができる。従って、不要となったＣＤケースを廃棄せずに、支持板を交換するだけで、ＭＤ用に再利用することが可能となる。このため、新たな金型を製造する手数が削減され、成形コストを低減することが可能となる。しかも、本発明のＭＤ収納ケースの支持板２は、ロック部材を備えたＣＤケース用の支持板よりも、シンプルな形状であるため、金型コストは安くて済む。
なお、支持板２をプラスチックではなく、段ボール材、厚紙等により構成すれば、更に製造手数、製造コストを低減しながら、同様の目的を達成することが可能となる。
なお、ＣＤケースの支持面中央部に設けた前記ロック部材をそのまま残して、このロック部材をＭＤカートリッジ裏面の開口２４内に嵌合させた状態で蓋部材５を閉止すれば、ＣＤケースを一切加工せずにＭＤ収納用のケースを構築できる筈であるが、この場合には蓋部材を閉止することにより、開口２４から露出したＭＤカートリッジ中心部の金属部分２１ａ（極めて脆弱）が強く圧迫され、ダメージを受けやすいため、問題である。また、ケース内でＭＤカートリッジがロック部材を中心として回転してしまうという不具合も伴う。
ＭＤカートリッジを支持面２ａに位置決めした場合、ＭＤカートリッジにより隠蔽されていない支持面２ａの他の部分については、このスペースに例えば記録された楽曲等のタイトル等を表示する。支持板２、ベース板３を透明板とすることにより、裏面側からも支持面２ａに配置したレーベル等の表示内容を目視確認できるように構成する。
【００１２】
次に、図２（ａ）及び（ｂ）は本発明の第２の実施形態に係るＭＤ収納ケースの要部（支持板）の構成図及び要部断面図であり、この実施形態では支持板２の支持面２ａに設ける係止手段１０として、ＭＤカートリッジ２０の裏面に形成した開口２４内に嵌合する軟質のパッド１２を用いた点が特徴的である。
パッド１２は、軟質な材料、例えばスポンジ等の多孔質樹脂材料やダンボール、厚紙等を開口２４の形状と整合する円板状に成形した極めてシンプルな形状を備えており、平坦な支持面２ａの適所にこのパッド１２を接着しておき、ＭＤカートリッジ２０の開口２４にパッド１２を嵌合させることにより、開口２４から露出したＭＤ２１の金属部分２１ａにダメージを与えることなく、蓋部材５との協働によりケース内にＭＤカートリッジ２０を確実に位置決め保持することが可能となる。この場合、支持板２としては、突起が存在しない平坦な支持面２ａを備えた構成とすることができるので、金型の構造が最もシンプル化し、低コスト化に貢献できる。
また、パッド１２を固定する位置を変化させることにより、ＣＤ用ラック等に陳列したときに、ＭＤカートリッジが隠れて見えなくなる等の不具合を解消できる。つまり、ＣＤラック等にＭＤケースを陳列した際に、ＭＤケース内のＭＤカートリッジの見え具合に応じて、ＭＤケース内のＭＤカートリッジの位置を任意の位置にずらすことが可能である。
また、上記実施形態のパッドは、ＭＤカートリッジ２０の開口２４に嵌合可能な円盤状のパッドを利用したが、ＭＤカートリッジを支持面の所望位置に位置決めする手段としてパッドを用いる場合パッドの形状、個数については、種々のバリエーションを考えることができる。例えば、図３（ａ）に示すように支持面２ａの任意の位置に細幅帯状の形状を備えた軟質材料から成るパッド１３を所望数だけ貼着することにより、各パッド１３間に形成される収容空所内にＭＤカートリッジ２０を嵌合し、蓋部材５を閉じることにより、ＭＤケース内に位置決め固定することができる。また、図３（ｂ）に示すようにＬ字状のパッド１４を用いてＭＤカートリッジ２０を位置決めするようにしてもよい。
販売店等にこのＭＤケースを陳列した場合に、顧客が手にとって内容を確認することとなり、その場合にはハンドリングが乱雑となるので、内部のＭＤカートリッジが振動、衝撃により動いたり、位置ずれしやすいが、本発明のパッドによれば、そのような不具合がない。
【００１３】
図４は他の実施形態であり、このＭＤケースの支持板２は、図示しないベース板に対して着脱可能であり、その支持面の適所にＭＤカートリッジを嵌合して位置ずれしないように保持する凹陥部（凹所、または貫通穴）１５を有している。この支持板２は、ウレタン等の弾性を有した樹脂材料、或いはダンボール、厚紙等を用いて製作する。
以上要するに本発明では、ＣＤ収納ケースをＭＤ収納ケースとして利用する際に、既存のＣＤ収納ケースが有する利点である展示、陳列した場合の視認性の向上、レーベルを用いた表示、記載内容の充実と見易さ等を活かしつつ、必要最低限の加工を加えるだけでＭＤの収納ケースとしての転用が可能となる。ＣＤケースに対する改変、部材の付加は必要最低限となり、コスト的にも新たな収納ケースを設計する場合に比して大幅に低減することが可能となる。また、ＣＤ用の陳列棚等をそのまま流用して展示することができるので、販売店等における設備コスト増を防止できる。
【００１４】
【発明の効果】
以上のように本発明によれば、小型であるために単独で展示、陳列した場合の展示、陳列効果が期待できず、ハンドリング性も悪いという欠点を有するＭＤカートリッジを、ＣＤ程度に大きな収納ケース（ジャケット）内に収納して十分大きなレーベルを使用することを可能にしてコンテンツの識別を容易にすると共に、自由なレーベルデザインを行うことを可能ならしめ、更に既存のＣＤ用ラック、陳列棚等をそのまま利用して、ＭＤの展示、陳列を行うことを可能ならしめて小売店の設備コスト増を防ぐことができる。更に、既存のＣＤケースをほぼそのまま流用、或いは必要最小限の加工を加えるだけで利用することができる。
【図面の簡単な説明】
【図１】（ａ）及び（ｂ）は本発明の一実施形態に係るＭＤ収納ケースの構成を示す展開斜視図（ＭＤカートリッジの裏面図）、及びＭＤを収納したＭＤ収納ケースの平面図。
【図２】（ａ）は本発明の第２の実施形態に係るＭＤ収納ケースの要部（支持板）の構成図、（ｂ）は要部拡大断面図。
【図３】（ａ）及び（ｂ）は夫々本発明の他の実施形態に係る係止手段の説明図。
【図４】本発明の他の実施形態に係る係止手段の説明図。
【符号の説明】
１  ＭＤ収納ケース、２  支持板、２ａ  支持面、３  ベース板、５  蓋部材、１０  ＭＤ係止手段、１１  小突起、１２  パッド、１３  パッド、１４  パッド、１５  凹陥部、２０  ＭＤカートリッジ、２１  ミニディスク（ＭＤ）、２１ａ  金属部分、２２  パッケージ、２３  開閉蓋、２４  開口、２５  小孔。
【図１】
2004284659.tif 000003
【図２】
2004284659.tif 000004
【図３】
2004284659.tif 000005
【図４】
2004284659.tif 000006